(57)【要約】      （修正有）【課題】Ｔシャツ等の衣服を掛ける作業や取り外す作業を容易化できる使い勝手が良好で、安価なハンガーを提供すること。【解決手段】互いに反対方向に延びる一対の掛止部２７及び２８を備えたハンガー本体２５と、このハンガー本体２５を支持する支持部材２６とを有し、上記ハンガー本体の一対の掛止部２７及び２８にＴシャツ等の肩部を掛け止め可能とするハンガー２０であって、上記支持部材２６が、ハンガー本体２５の一方の掛止部２７側に接近して配置され、これら一方の掛止部２７と支持部材２６との間に隙間３４が設けられたものである。【選択図】図３
0003118507.tif 000002
【実用新案登録請求の範囲】
【請求項１】
互いに反対方向に延びる一対の掛止部を備えたハンガー本体と、このハンガー本体を支持する支持部材とを有し、上記ハンガー本体の一対の掛止部に衣服の肩部を掛け止め可能とするハンガーであって、
上記支持部材が、上記ハンガー本体の一方の掛止部側に接近して配置され、これら一方の掛止部と支持部材との間に隙間が設けられたことを特徴とするハンガー。
【請求項２】
上記支持部材は、上記ハンガー本体の中心に対して略直交する状態で配されることを特徴とする請求項1に記載のハンガー。
【請求項３】
上記ハンガー本体の他方の掛止部における下端部から支持部材までの高さが、Ｔシャツ等の衣服の首部の直径よりも小さく設定されたことを特徴とする請求項1または２に記載のハンガー。
【請求項４】
上記ハンガー本体の一方の掛止部における下端部から支持部材までの高さが、Ｔシャツ等の衣服の首部の直径よりも小さく設定されたことを特徴とする請求項1乃至３のいずれかに記載のハンガー。
【請求項５】
上記ハンガー本体の他方の掛止部は、支持部材に段差なく連続して形成されたことを特徴とする請求項1乃至４のいずれかに記載のハンガー。
【請求項６】
上記支持部材は、ハンガー取付部材に水平方向に回動可能に取り付けられることを特徴とする請求項1乃至５のいずれかに記載のハンガー。
【請求項７】
上記支持部材は、ハンガー取付部材に鉛直方向に回動可能に取り付けられることを特徴とする請求項1乃至５のいずれかに記載のハンガー。
【請求項８】
上記ハンガー本体の他方の掛止部と支持部材とが直線形状に形成され、これら他方の掛止部と支持部材とに、係止口を互いに対向させて一対の係止ピースが設置されたことを特徴とする請求項1乃至７のいずれかに記載のハンガー。
【考案の詳細な説明】
【技術分野】
【０００１】
本考案は、洗濯後の衣服の物干しや衣服の展示などに用いられるハンガーに関する。
【背景技術】
【０００２】
一般に、Ｔシャツやトレーナーなどを洗濯した場合には、これらをハンガーに掛けて乾燥させている。Ｔシャツ等をハンガーに掛ける場合には、Ｔシャツ等の裾からハンガーを挿入し、ハンガーの両端部をＴシャツ等の肩部に掛止させるとともに、ハンガーに形成された吊りフックをＴシャツ等の首部から外部に突出させることにより行われる。
【０００３】
ところが、このような作業は、特に洗濯後においてＴシャツ等が多量の水分を含んでいる場合、Ｔシャツ等の内部においてハンガーの両端部や吊りフックが引っ掛かり易く、極めて煩雑な作業となる。
【０００４】
また、ハンガーにＴシャツ等を掛ける他の方法として、Ｔシャツ等の首部にハンガーの一端部を挿入してＴシャツ等の一方の肩部に掛止させつつ、吊りフックを外部に突出させた状態でＴシャツ等の首部に更にハンガーの他端部を挿入し、この他端部をＴシャツ等の他方の肩部に掛止させることによりＴシャツ等をハンガーに掛ける方法もある。
【０００５】
この方法では、吊りフックが形成された部分からハンガーの端部までの距離が比較的長いために、ハンガーの一端部を掛止させた状態で他端部をＴシャツ等の首部から挿入することが困難であり、無理に挿入するとＴシャツ等の首部が伸びてしまう。
【０００６】
一方、ハンガーに掛けられたＴシャツ等を取り外す場合にも、Ｔシャツ等の裾あるいは首部からハンガーを取り出している。この場合にも、Ｔシャツ等をハンガーに掛ける場合と同様に煩雑な作業を行わなければならず、また、首部からハンガーを取り出す場合には、Ｔシャツ等の首部が伸びてしまう。
【０００７】
このようなハンガーの不具合を解消するために、ハンガーを２つの別部材で構成し、これらの両別部材を回動可能に連結したものが、特許文献１に開示されている。
【０００８】
【特許文献１】特開平１０‐２８６１６４号公報
【考案の開示】
【考案が解決しようとする課題】
【０００９】
ところが、上述の特許文献１に記載のハンガーであっても、吊りフック（支持部材）がハンガーにおいて垂直に延びているため、Ｔシャツ等の衣服を掛ける作業や取り外す作業において上記吊りフックが邪魔になり、ハンガーの使い勝手に支障をきたす場合がある。
【００１０】
また、ハンガーが回動可能に連結された２つの別部材から構成されているため、構造が複雑になり、コストが上昇してしまう。
【００１１】
本考案の目的は、上述の事情を考慮してなされたものであり、Ｔシャツ等の衣服を掛ける作業や取り外す作業を容易化できる使い勝手が良好で、安価なハンガーを提供することにある。
【課題を解決するための手段】
【００１２】
請求項１に記載の考案は、互いに反対方向に延びる一対の掛止部を備えたハンガー本体と、このハンガー本体を支持する支持部材とを有し、上記ハンガー本体の一対の掛止部に衣服の肩部を掛け止め可能とするハンガーであって、上記支持部材が、上記ハンガー本体の一方の掛止部側に接近して配置され、これら一方の掛止部と支持部材との間に隙間が設けられたことを特徴とするものである。
【００１３】
請求項２に記載の考案は、請求項1に記載の考案において、上記支持部材が、上記ハンガー本体の中心に対して略直交する状態で配されることを特徴とするものである。
【００１４】
請求項３に記載の考案は、請求項1または２に記載の考案において、上記ハンガー本体の他方の掛止部における下端部から支持部材までの高さが、Ｔシャツ等の衣服の首部の直径よりも小さく設定されたことを特徴とするものである。
【００１５】
請求項４に記載の考案は、請求項1乃至３のいずれかに記載の考案において、上記ハンガー本体の一方の掛止部における下端部から支持部材までの高さが、Ｔシャツ等の衣服の首部の直径よりも小さく設定されたことを特徴とするものである。
【００１６】
請求項５に記載の考案は、請求項1乃至４のいずれかに記載の考案において、上記ハンガー本体の他方の掛止部は、支持部材に段差なく連続して形成されたことを特徴とするものである。
【００１７】
請求項６に記載の考案は、請求項1乃至５のいずれかに記載の考案において、上記支持部材は、ハンガー取付部材に水平方向に回動可能に取り付けられることを特徴とするものである。
【００１８】
請求項７に記載の考案は、請求項1乃至５のいずれかに記載の考案において、上記支持部材は、ハンガー取付部材に鉛直方向に回動可能に取り付けられることを特徴とするものである。
【００１９】
請求項８に記載の考案は、請求項1乃至７のいずれかに記載の考案において、上記ハンガー本体の他方の掛止部と支持部材とが直線形状に形成され、これら他方の掛止部と支持部材とに、係止口を互いに対向させて一対の係止ピースが設置されたことを特徴とするものである。
【考案の効果】
【００２０】
請求項1、２、３または４に記載の考案によれば、ハンガー本体を支持する支持部材が、ハンガー本体の一方の掛止部側に接近して配置され、これら一方の掛止部と支持部材との間に隙間が設けられたことから、Ｔシャツ等の衣服をハンガーに掛ける場合で、Ｔシャツ等の首部にハンガー本体の他方の掛止部を挿入するとき、このＴシャツ等の首部をハンガー本体の一方の掛止部の端部まで移動させることができる。このため、次に、この首部の一部を一方の掛止部と支持部材との隙間内で反対方向に移動させることにより、Ｔシャツ等をハンガー本体に掛け止めることができる。Ｔシャツ等をハンガーから取り外す場合には、掛ける動作と逆の動作を実施すればよいので、Ｔシャツ等の衣服を掛ける作業や取り外す作業を容易化できる使い勝手の良好なハンガーを提供できる。
【００２１】
また、本ハンガーはハンガー本体と支持部材から成り、可動部分が存在しない簡単な構造であるため、安価なハンガーとすることができる。
【００２２】
請求項５に記載の考案によれば、ハンガー本体の他方の掛止部が支持部材に段差なく連続して形成されたことから、この他方の掛止部をＴシャツ等の衣服の首部に挿入する際、衣服が濡れている場合にも、この挿入を容易に実施できる。
【００２３】
請求項６に記載の考案によれば、支持部材がハンガー取付部材に水平方向に回動可能に取り付けられることから、ハンガー使用時には支持部材をハンガー取付部材に対し直立する位置まで回動させ、ハンガー非使用時には支持部材をハンガー取付部材に対し伏せる位置まで回動させることで、ハンガー非使用時のスペースを低減できる。
【００２４】
請求項７に記載の考案によれば、支持部材がハンガー取付部材に鉛直方向に回動可能に取り付けられることから、ハンガー使用時には支持部材を水平位置まで回動させ、ハンガー非使用時には支持部材をハンガー取付部材に対し伏せる位置まで回動させることで、ハンガー非使用時のスペースを低減できる。
【００２５】
請求項８に記載の考案によれば、ハンガー本体の他方の掛止部と支持部材とが直線形状に形成され、これら他方の掛止部と支持部材とに一対の係止ピースが設置されたことから、この直線形状の他方の掛止部及び支持部材にズボンやタオル等を掛け、係止ピースを用いてこれらを係止できるので、ハンガーの使い勝手を向上させることができる。
【考案を実施するための最良の形態】
【００２６】
以下、本考案を実施するための最良の形態を、図面に基づき説明する。
【００２７】
［Ａ］第１の実施の形態（図１〜図５）
図１は、本考案に係るハンガーの第１の実施の形態が適用されたハンガースタンドを示す斜視図である。図３は、図１のハンガーを示し、（Ａ）が正面図、（Ｂ）が平面図、（Ｃ）が底面図である。
【００２８】
図１に示すハンガースタンド１０は、一対の基礎パイプ１１のそれぞれに結合ユニット１２を介して支柱１３が立設され、これらの支柱１３間をステー１４、連結パイプ１５Ａ及び１５Ｂを用いて連結して構成される。上記基礎パイプ１１にキャスター１６が設置されている。また、連結パイプ１５Ａ及び１５Ｂに、ハンガー取付部材としての複数個のハンガー取付治具１７が配設され、各ハンガー取付治具１７に一対のハンガー２０が取り付けられる。
【００２９】
ハンガー取付治具１７は、図５に示すように、基部１８の両側に膨出部１９が一体成形され、この膨出部１９に取付穴２１が形成されている。また、基部１８の上部に形成された貫通穴２２に連結パイプ１５Ａ(図１)が挿通され、基部１８の下部に形成された嵌合溝２３に連結パイプ１５Ｂが嵌合されることで、ハンガー取付治具１７は、これらの連結パイプ１５Ａ及び１５Ｂにスライド可能に配設される。基部１８の頂部に枢支された係止片２４を貫通穴２２側に回動させることで、この貫通穴２２に挿通された連結パイプ１５Ａに係止片２４が当接して、ハンガー取付治具１７はスライドが阻止され、任意の位置に固定される。
【００３０】
さて、ハンガー２０は、図３に示すように、ハンガー本体２５と、このハンガー本体２５を支持する支持部材２６とを有し、１本の棒材または線材を折曲加工することにより一体に構成される。上記ハンガー本体２５は、互いに反対方向に延びる一対の掛止部２７及び２８を備え、これらの掛止部２７及び２８に、図４（Ｂ）に示すように、Ｔシャツ等２９の衣服の肩部３０が掛け止め可能とされる。
【００３１】
上記支持部材２６は、図３に示すように棒材または線材の端部側にて形成され、一端側部分２６Ａに他端側部分２６Ｂの端部が溶着されて補強される。この一端側部分２６Ａの端部が支持部材２６の端部３３として構成される。また、支持部材２６は、ハンガー本体２５の一方の掛止部２７側に接近して配置され、この掛止部２７との間に隙間３４が形成される。例えば、端部３３に連続する支持部材２６の一端側部分２６Ａが、ハンガー本体２５における後述の連結部３６に平行となる位置まで、支持部材２６はハンガー本体２５の掛止部２７に接近して配置される。即ち、支持部材２６は、図３において一点鎖線Ｙで示すハンガー本体２５の中心線に対して、略直交する状態で配される。
【００３２】
支持部材２６は、上記端部３３が前記ハンガー取付治具１７の取付穴２１(図５)に挿入されて、このハンガー取付治具１７に対し水平方向に回動可能に取り付けられる。従って、ハンガー２０の使用時には、図１に示すように、支持部材２６をハンガー取付治具１７に対し直立する位置まで回動させ、ハンガー２０の非使用時には、図２に示すように、支持部材２６をハンガー取付治具１７に伏せる位置まで回動させることが可能となる。
【００３３】
前記ハンガー本体２５は、掛止部２７及び２８を連結する直線形状の連結部３６を備え、この連結部３６にズボンまたはタオル等が掛け止め可能とされる。また、ハンガー本体２５の他方の掛止部２８における下端部３８から支持部材２６までの高さＨ１は、図４に示すＴシャツ等２９の首部３１の直径よりも小さく設定される。
【００３４】
更に、ハンガー本体２５の一方の掛止部２７における下端部３７から支持部材２６までの高さＨ２も、Ｔシャツ等２９における首部３１の直径よりも小さく設定される。この高さＨ２は、図３（Ａ）の２点鎖線に示すように、支持部材２６の一端側部分２６Ａがハンガー本体２５の連結部３６と平行になる位置まで接近（ハンガー本体２５の中心Ｙに対して支持部材２６が略直交）していない場合にも、同様に、Ｔシャツ等２９における首部３１の直径よりも小さく設定される。
【００３５】
従って、Ｔシャツ等２９をハンガー２０に掛ける場合、高さＨ1が上述のように設定されたことで、図４（Ａ）に示すように、Ｔシャツ等２９の首部３１をハンガー本体２５の他方の掛止部２８に挿入することが可能となる。また、高さＨ２が上述のように設定されたことで、Ｔシャツ等２９の首部３１をハンガー本体２５の一方の掛止部２７の端部まで、引き続き矢印Ａ方向に移動させることが可能となる。次に、Ｔシャツ等２９の首部３１の一部３１Ａをハンガー本体２５の隙間３４内で上記矢印Ａと反対方向（矢印Ｂ）へ移動させることにより、図４（Ｂ）に示すように、Ｔシャツ等２９の肩部３０がハンガー本体２５の掛止部２７及び２８に掛け止められて、Ｔシャツ等２９がハンガー２０に掛けられる。Ｔシャツ２９をハンガー２０から取り外すには、上述と逆の動作を実施する。
【００３６】
また、ハンガー本体２５の他方の掛止部２８は、図３（Ａ）の破線に示すような段差３５を備えず、支持部材２６に段差なく連続して形成される。これにより、濡れたＴシャツ等２９の首部３１にハンガー本体２５の他方の掛止部２８を挿入する場合、Ｔシャツ等２９の首部３１が段差３５に引っ掛かることが回避される。
【００３７】
以上のように構成されたことから、上記実施の形態によれば、次の効果（１）〜（４）を奏する。
【００３８】
（１）ハンガー本体２５を支持する支持部材２６が、ハンガー本体２５の一方の掛止部２７側に接近して配置され、これら一方の掛止部２７と支持部材２６との間に隙間３４が設けられている。このことから、Ｔシャツ等２９の衣服をハンガー２０に掛ける場合で、Ｔシャツ等２９の首部３１にハンガー本体２５の他方の掛止部２８を挿入するとき、このＴシャツ等２９の首部３１をハンガー本体２５の一方の掛止部２７の端部まで移動させることができる。このため、次に、この首部３１の一部３１Ａを一方の掛止部２７と支持部材２６との隙間３４内で反対方向に移動させることにより、Ｔシャツ等２９をハンガー本体２５に掛け止めることができる。Ｔシャツ等２９をハンガー２０から取り外す場合には、掛ける動作と逆の動作を実施すればよいので、Ｔシャツ等２９の衣服を掛ける作業や取り外す作業を容易化できる使い勝手の良好なハンガー２０を提供できる。
【００３９】
（２）ハンガー２０はハンガー本体２５と支持部材２６から成り、可動部分が存在しない簡単な構造であるため、安価なハンガー２０とすることができる。
【００４０】
（３）ハンガー本体２５の他方の掛止部２８が支持部材２６に段差３５なく連続して形成されたことから、この他方の掛止部２８をＴシャツ等２９の首部３１に挿入する際、このＴシャツ等２９が濡れている場合にも、この挿入を容易に実施できる。
【００４１】
（４）支持部材２６がハンガー取付治具１７に水平方向に回動可能に取り付けられることから、ハンガー２０の使用時には、支持部材２６をハンガー取付治具１７に対し直立する位置まで回動させ、ハンガー２０の非使用時には、支持部材２６をハンガー取付治具１７に対し伏せる位置まで回動させることで、ハンガー２０の非使用時のスペースを低減できる。
【００４２】
［Ｂ］第２の実施の形態（図６〜図８）
図６は、本考案に係るハンガーの第２を実施の形態を示し、（Ａ）が正面図、（Ｂ）が平面図、（Ｃ）が底面図である。この第２の実施の形態において、前記第１の実施の形態と同様な部分は、同一の符号を付すことにより説明を省略する。
【００４３】
この第２の実施の形態のハンガー４０は、ハンガー本体４１と、このハンガー本体４１を支持する支持部材４２とを有し、これらのハンガー本体４１及び支持部材４２が樹脂などを用いて金型成形等により一体に成形されたものである。上記ハンガー本体４１は、互いに反対方向に延びる一対の掛止部４３及び４４を備え、これらの掛止部４３及び４４にＴシャツ等２９の肩部３０が掛け止め可能とされる。
【００４４】
更に、支持部材４２は、ハンガー本体４１の一方の掛止部４３側に接近して配置されて、この掛止部４３との間に隙間４５を形成する。このとき、支持部材４２は、ハンガー本体４１の他方の掛止部４４と直線形状に設けられる。そして、これらの支持部材４２と他方の掛止部４４とのそれぞれに、係止口４６を互いに対向させた一対の係止ピース４７が設置される。これにより、直線形状の上記支持部材４２及び他方の掛止部４４に、図８に示すように、ズボンやタオル等５２が掛けられ、これらのズボン等５２が係止ピース４７により係止可能とされる。
【００４５】
また、上記支持部材４２の端部にはピン穴４８が形成され、このピン穴４８にピン４９（図７）が挿入されることで、ハンガー４０は、支柱５０に固定されたハンガー取付治具５１に取り付けられる。つまり、このハンガー４０は、ピン４９を用いてハンガー取付治具５１に鉛直方向に回動可能に取り付けられる。
【００４６】
以上のように構成されたことから、上記実施の形態によれば、前記第１の実施の形態の効果（１）〜（３）と同様な効果を奏する他、次の効果（５）及び（６）を奏する。
【００４７】
（５）支持部材４２がハンガー取付治具５１に鉛直方向に回動可能に取り付けられることから、ハンガー４０の使用時には、図７に示すように支持部材４２を水平位置まで回動させ、ハンガー４０の非使用時には、支持部材４２をハンガー取付治具５１に対し伏せる位置まで回動させることで、ハンガー４０の非使用時のスペースを低減できる。
【００４８】
（６）ハンガー本体４１の他方の掛止部４４と支持部材４２とが直線形状に形成され、これら他方の掛止部４４と支持部材４２とに一対の係止ピース４７が設置されたことから、この直線形状の他方の係止部４４及び支持部材４２にズボンやタオル等５２を掛け、係止ピース４７を用いてこれらを係止できるので、ハンガー４０の使い勝手を更に向上させることができる。
【００４９】
以上、本考案を上記実施の形態に基づいて説明したが、本考案はこれに限定されるものではない。
【図面の簡単な説明】
【００５０】
【図１】本考案に係るハンガーの第１の実施の形態が適用されたハンガースタンドを示す斜視図である。
【図２】図１のハンガー及びハンガースタンドの収納状態を示す斜視図である。
【図３】図３は、図１のハンガーを示し、（Ａ）が正面図、（Ｂ）が平面図、（Ｃ）が底面図である。
【図４】図１のハンガーにＴシャツ等をかける手順を示す動作図である。
【図５】図１のハンガー取付治具を示す斜視図である。
【図６】本考案に係るハンガーの第２を実施の形態を示し、（Ａ）が正面図、（Ｂ）が平面図、（Ｃ）が底面図である。
【図７】図６のハンガーの取付状態を示す斜視図である。
【図８】図６のハンガーの使用状態を示す斜視図である。
【符号の説明】
【００５１】
１０  ハンガースタンド
１７  ハンガー取付治具（ハンガー取付部材）
２０  ハンガー
２１  取付穴
２５  ハンガー本体
２６  支持部材
２７、２８  掛止部
２９  Ｔシャツ等
３０  肩部
３１  首部
３３  端部
３４  隙間
３７、３８  下端部
４０  ハンガー
４１  ハンガー本体
４２  支持部材
４３、４４  掛止部
４５  隙間
４６  係止口
４７  係止ピース
４８  ピン穴
５１  ハンガー取付治具（ハンガー取付部材）
Ｈ１、Ｈ２  高さ
【図１】
0003118507.tif 000003
【図２】
0003118507.tif 000004
【図３】
0003118507.tif 000005
【図４】
0003118507.tif 000006
【図５】
0003118507.tif 000007
【図６】
0003118507.tif 000008
【図７】
0003118507.tif 000009
【図８】
0003118507.tif 000010